(57)【要約】【課題】本考案は、本体の電源用インバータとビデオトランスミッタとの間に形成された空間部にビデオ再生機を設け、音声を含むビデオ出力信号をケーブル配線を用いることなく自在に車内や室内のテレビで受信することを目的とする。【解決手段】本考案による多機能ビデオ送信装置は、本体(1)の両側に設けた電源用インバータ(3)とビデオトランスミッタ(6)との間に形成された空間部(10)にビデオ再生機(11)を設け、このビデオ再生機(11)からの音声を含むビデオ出力信号をビデオトランスミッタ(6)で車内や室内のテレビに送信し、自在にビデオ受信する構成である。【選択図】図１
0003107132.tif 000002
【実用新案登録請求の範囲】
【請求項１】
本体(1)の一方側(2)に設けられた電源用インバータ(3)と、前記本体(1)の他方側(5)に設けられたビデオトランスミッタ(6)と、前記電源用インバータ(3)とビデオトランスミッタ(6)との間に形成された空間部(10)とよりなり、前記空間部(10)にビデオ再生機(11)を設けることができるように構成したことを特徴とする多機能ビデオ送信装置。
【請求項２】
前記一方側(2)に形成された第１ボックス(4)内に前記電源用インバータ(3)が内蔵され、前記他方側(5)に形成された第２ボックス(8)内に前記ビデオトランスミッタ(6)が内蔵されていることを特徴とする請求項１記載の多機能ビデオ送信装置。
【請求項３】
前記空間部(10)は、前記第１、第２ボックス(4,8)間に形成されていることを特徴とする請求項１又は２記載の多機能ビデオ送信装置。
【請求項４】
前記ビデオ再生機(11)は、ＤＶＤ再生機能を有するゲーム機又はＤＶＤ再生機又はビデオテープ再生機であることを特徴とする請求項１ないし３の何れかに記載の多機能ビデオ送信装置。
【請求項５】
前記第１ボックス(4)の正面側(4a)には、前記電源用インバータ(3)のオン／オフを行うためのインバータ用スイッチ(9)が設けられ、前記第２ボックス(8)の正面側(8a)には、前記ビデオトランスミッタ(6)のオン／オフを行うためのビデオトランスミッタ用スイッチ(9A)が設けられていることを特徴とする請求項１ないし４の何れかに記載の多機能ビデオ送信装置。
【請求項６】
前記第２ボックス(8)には、複数のＡＶケーブル入力端子(20)を有する入力端子盤(21)が設けられ、前記入力端子盤(21)には入力ビデオ信号を切換えるための切換スイッチ(22)が設けられていることを特徴とする請求項１ないし５の何れかに記載の多機能ビデオ送信装置。
【請求項７】
前記本体(1)にはＦＭトランスミッタ(7)が設けられ、前記ビデオ再生機(11)からの音声を前記ＦＭトランスミッタ(7)でＦＭラジオに送信するように構成したことを特徴とする請求項１ないし６の何れかに記載の多機能ビデオ送信装置。
【考案の詳細な説明】
【技術分野】
【０００１】
本考案は、多機能ビデオ送信装置に関し、特に、本体に空間部を介してビデオトランスミッタと電源用インバータを設け、この空間部にビデオ再生機を設け、車内、室内を問わず、テレビとの間に配線を接続することなく自在にビデオの再生を行うことができるようにするための新規な改良に関する。
【背景技術】
【０００２】
従来、用いられていたこの種のＤＶＤプレイヤー、ゲーム機、ビデオデッキ等のビデオ再生機を車内で用いる場合、ビデオ再生機からのＡＶケーブルを車内のテレビのＡＶ入力端子に接続していた。
また、室内のテレビでビデオ再生機からのビデオを再生するためには、ビデオ再生機からのＡＶケーブルを室内のテレビのＡＶ入力端子に接続していた。
尚、前述の従来構成は一般的事項であるため、特に、その構成を示す特許文献等は開示していない。
【考案の開示】
【考案が解決しようとする課題】
【０００３】
従来のビデオ再生機のビデオの再生は、以上のように構成されていたため、次のような課題が存在していた。
すなわち、車内では１００Ｖ電源のビデオ再生機を用いるには、電源用インバータ等の電源が必要であった。
また、ＡＶ入力端子の付いた車用テレビが必要であり、純正のライン装置のナビテレビの場合には、ＡＶ入力端子を有していないため、ＡＶケーブルで接続することはできず、ビデオトランスミッタが別途必要であった。
また、ビデオ再生機とビデオトランスミッタと電源用インバータ等をバラバラで車内に搭載しなければならず、車の走行時の安全にとって好ましいことではなかった。
また、前述のようにＡＶケーブルを用いてセッティングを行うことは、車内で用いていたものを家庭内で用いるには、再びセッティングをしなければならず、極めて使い勝手の悪いものであった。
また、ＤＶＤ再生機やゲーム機のように、単体で構成されているものは、室内や車内でセッティングする場合に、所定のスペースを必要とし、他の電源用インバータやビデオトランスミッタ等を設置するスペースを確保することが難しく、車内と家庭内との間で移動させて設置することは極めて困難なことであった。
【課題を解決するための手段】
【０００４】
本考案による多機能ビデオ送信装置は、本体の一方側に設けられた電源用インバータと、前記本体の他方側に設けられたビデオトランスミッタと、前記電源用インバータとビデオトランスミッタとの間に形成された空間部とよりなり、前記空間部にビデオ再生機を設けることができるようにした構成であり、また、前記一方側に形成された第１ボックス内に前記電源用インバータが内蔵され、前記他方側に形成された第２ボックス内に前記ビデオトランスミッタが内蔵されている構成であり、また、前記空間部は、前記第１、第２ボックス間に形成されている構成であり、また、前記ビデオ再生機は、ＤＶＤ再生機能を有するゲーム機又はＤＶＤ再生機又はビデオテープ再生機である構成であり、また、前記第１ボックスの正面側には、前記電源用インバータのオン／オフを行うためのインバータ用スイッチが設けられ、前記第２ボックスの正面側には、前記ビデオトランスミッタのオン／オフを行うためのビデオトランスミッタ用スイッチが設けられている構成であり、また、前記第２ボックスには、複数のＡＶケーブル入力端子を有する入力端子盤が設けられ、前記入力端子盤には入力ビデオ信号を切換えるための切換スイッチが設けられている構成であり、また、前記本体にはＦＭトランスミッタが設けられ、前記ビデオ再生機からの音声を追加の機能として前記ＦＭトランスミッタでＦＭラジオに送信することもできるようにした構成である。
【考案の効果】
【０００５】
本考案による多機能ビデオ送信装置は、以上のように構成されているため、次のような効果を得ることができる。
すなわち、ビデオトランスミッタと電源用インバータとの間に形成された空間部内にビデオ再生機を設けることができるため、電源用インバータを車内の１２Ｖソケットに接続するだけで１００Ｖの電源を得ることができ、ＤＶＤ再生機能を有するテレビゲーム機等のビデオ再生機からのビデオ出力はビデオトランスミッタで音声と共に車内のテレビ受信機（ダッシュボードに組込みのテレビか、又は、車内に置かれているテレビ等）に無線で飛ばされ、配線を要することなく、テレビ受信を行うことができる。
また、１００Ｖの電源を必要としないビデオ再生機を用いる場合も、この空間部にビデオ再生機を置き、車内の１２Ｖソケットから直接電源を取ることによってビデオ再生を行うことができる。
また、前述のように、ビデオトランスミッタと電源用インバータとの間の空間部にビデオ再生機を設けているため、ビデオトランスミッタとビデオ再生機と電源用インバータを一体状に１ユニットとして構成することができ、車内及び室内における設置スペースの省スペース化を達成することができる。
また、複数チャンネル用のＡＶケーブル入力端子を有する入力端子盤が設けられ、入力切換え用の切換スイッチが設けられているため、複数のビデオ再生機からの映像入力を切換えることができ、多様な映像ライフを楽しむことができる。
また、家庭内で使用する場合には、アンテナの付いたテレビであれば、全ての部屋のテレビで受信することができる。
また、追加の機能としてＦＭトランスミッタを内蔵しているため、映像と共にテレビに送られた音声の他に、別ルートとして音声のみを車内のコンポ等で再生でき、迫力のあるサウンド再生を行うことができる。
【考案を実施するための最良の形態】
【０００６】
本考案は、本体に設けたビデオトランスミッタと電源用インバータとの間に形成された空間部内にビデオ再生機を設け、電源を接続するのみで、車内でも室内でも簡単に複数のテレビで映像を受信することができるようにすることを目的とする。
【実施例】
【０００７】
以下、図面と共に本考案による多機能ビデオ送信装置の好適な実施の形態について説明する。
図１から図３において、本体１の一方側２には電源用インバータ３を内蔵する第１ボックス４が設けられ、この第１ボックス４の正面側４ａにはインバータ用スイッチ９が設けられている。
【０００８】
前記本体１の他方側５には、ビデオ信号を所定のチャンネルで送信するためのビデオトランスミッタ６及び音声用のＦＭトランスミッタ７を内蔵した第２ボックス８が設けられ、この第２ボックス８の正面側８ａにはビデオトランスミッタ用スイッチ９Ａが設けられている。
【０００９】
前記本体１の前記電源用インバータ３とビデオトランスミッタ６との間、すなわち、第１ボックス４と第２ボックス８との間には、空間部１０が形成され、この空間部１０内には、ＤＶＤ再生機能を有するゲーム機、ＤＶＤ再生機、ビデオテープ再生機等からなるビデオ再生機１１が設けられており、このビデオ再生機１１のビデオ出力信号は音声と共に前記ビデオトランスミッタ６に入力されている。
尚、前記電源用インバータ３のソケット３ａ、３ｂにはＤＶＤ再生機能を有するゲーム機及びその他のゲーム機・ＤＶＤ再生機・ビデオテープ再生機等からなるビデオ再生機１１の図示しない電源コードが接続されている。又、携帯電話等の充電にも使用可能である。
【００１０】
前記第２ボックス８には、前記ビデオ再生機１１が複数又は他のゲーム機やビデオテープ再生機等を用いた場合の各ビデオ出力信号を入力するための複数のＡＶケーブル入力端子２０を備えた入力端子盤２１が設けられており、この入力端子盤２１には、各ＡＶケーブル入力端子２０に接続された複数系統のビデオ出力信号のビデオトランスミッタ６への入力切換えを行うための切換スイッチ２２が設けられている。
【００１１】
従って、前述の状態に構成された多機能ビデオ送信装置３０を、室内から車内に搬送し、電源用インバータ３を車内のシガーライター用ソケット等の１２Ｖソケットに接続し、各スイッチ９、９Ａをオンとすると、ビデオ再生機１１で再生されたビデオ出力信号が音声と共にビデオトランスミッタ６を介して無線で車内のテレビ受信機（図示せず）に送信され、映像と音声が受信される。
尚、音声出力信号は、追加の機能として前述のビデオトランスミッタ６によって映像と共にテレビに送られる他に、ＦＭトランスミッタ７を介して車内のＦＭ受信機に送信されるように構成されている。
【産業上の利用可能性】
【００１２】
本考案は、ＤＶＤ及びビデオテープのビデオ出力のみではなく、パソコン等のＩＴ関係の分野にも適用可能である。
【図面の簡単な説明】
【００１３】
【図１】本考案による多機能ビデオ送信装置を示す正面図である。
【図２】図１の背面図である。
【図３】図１の平面図である。
【符号の説明】
【００１４】
１    本体
２    一方側
３    電源用インバータ
４    第１ボックス
５    他方側
６    ビデオトランスミッタ
７    ＦＭトランスミッタ
８    第２ボックス
９    インバータ用スイッチ
９Ａ    ビデオトランスミッタ用スイッチ
１０    空間部
１１    ビデオ再生機
２０    ＡＶケーブル入力端子
２１    入力端子盤
２２    切換スイッチ
３０    多機能ビデオ送信装置
【図１】
0003107132.tif 000003
【図２】
0003107132.tif 000004
【図３】
0003107132.tif 000005